(57)【要約】【課題】普段は蓋の閉鎖状態を確実に保持させ、納骨時等には蓋の開放を可能にして、お骨の盗難も簡易に防止できる墓の納骨口蓋の設置構造を提供すること。【解決手段】墓石６下部から墓石６前面下部に亘って地面よりも下側に納骨室７を形成し、前記墓石６前面下部の開口部を納骨口７ａとした形式の墓において、納骨口７ａの上面両側に設置された取付部材２０と、該取付部材２０に対応して両側に係止孔８ａを設けた納骨口の蓋８と、前記蓋８の両側の係止孔８ａに係合・離脱可能で、係合時、該蓋８を納骨口７ａの上面に保持するために前記取付部材２０に設けられた係止部材２１とで構成した。【選択図】      図１
2004360394.tif 000002
【特許請求の範囲】
【請求項１】
墓石下部から墓石前面下部に亘って地面よりも下側に納骨室を形成し、前記墓石前面下部の開口部を納骨口とした形式の墓において、納骨口の上面両側に設置された取付部材と、該取付部材に対応して両側に係止孔を設けた納骨口の蓋と、前記蓋の両側の係止孔に係合・離脱可能で、係合時、該蓋を納骨口の上面に保持するために前記取付部材に設けられた係止部材とで構成したことを特徴とする墓の納骨口蓋の設置構造。
【請求項２】
前記取付部材は、前記蓋の両側面に対向する起立面を有し、かつ、前記係止部材は、前記起立面に直交して設けられており、該係止部材の先端が納骨口の蓋の係止孔に上下方向に隙間を以って係合させてあることを特徴とする請求項１に記載の墓の納骨口蓋の設置構造。
【請求項３】
前記係止部材は、先端に係止部を有し、基部にねじが刻設されたボルト形状とされ、前記取付部材のねじ孔に螺合固着されていることを特徴とする請求項１又は２に記載の墓の納骨口蓋の設置構造。
【請求項４】
前記係止部材のボルト頭部には、取外し防止具が装着されており、この取外し防止具は、前記ボルト頭部を被覆し、内面に環状溝を有するキャップと、該キャップの環状溝と前記ボルト頭部の外周に形成された環状溝とに跨って弾性的に拡縮変形可能に嵌着され、前記キャップを前記ボルト頭部に回転自在に係止する係止リングとを有し、前記キャップの外面には、前記内面の環状溝に達する横穴が複数個形成されていることを特徴とする請求項１〜３のいずれかに記載の墓の納骨口蓋の設置構造。
【請求項５】
墓石下部から墓石前面下部に亘って地面よりも下側に納骨室を形成し、前記墓石前面下部の開口部を納骨口とした形式の墓において、納骨口の上面両側に設置された第１及び第２の取付部材と、該第１及び第２の取付部材に対応して一側に係止孔を設けた納骨口の蓋と、前記蓋の一側の係止孔に係合・離脱可能で、係合時、該蓋を納骨口の上面に保持するために前記第１の取付部材に設けられた係止部材とで構成し、前記第２の取付部材には、前記蓋の側面に対向する起立面及び蓋の上面を押さえる押え縁を設けたことを特徴とする墓の納骨口蓋の設置構造。
【発明の詳細な説明】
【０００１】
【発明の属する技術分野】
本発明は、墓石下部から墓石前面下部に亘って地面よりも下側に納骨室を形成し、前記墓石前面下部の開口部を納骨口とした形式の墓の納骨口蓋の設置構造に関するものである。
【０００２】
【従来の技術】
この種の墓の納骨口は、普段は石材製の蓋で閉鎖されているが、新しく亡くなった人のお骨を納骨室に納骨する必要があるため、該蓋は納骨口の上面に除去可能に設置されている。
従来の具体的な設置構造としては、前記蓋を納骨口の上面に単に載置してあるだけの場合が最も一般的であった。なお、蓋と納骨口周囲の隙間を外側からセメントで薄く目塗りしている場合もあるが、この場合は、納骨後に雨水の侵入を防止することを目的として施工しているもので、その場合でも次回の取外しが可能であるように施工されている程度であった。
【０００３】
【発明が解決しようとする課題】
しかしながら、上記従来の蓋の設置構造では、誰でもが蓋を容易に移動させて納骨口を開口させることができ、納骨口の閉鎖保持が不十分となり、場合によっては、納骨室内のお骨が盗難に遭遇する場合があった。
そこで、本発明は、普段は蓋の閉鎖状態を確実に保持させ、納骨時等には蓋の開放を可能にして、お骨の盗難も簡易に防止できる墓の納骨口蓋の設置構造を提供することを課題としている。
【０００４】
【課題を解決するための手段】
この技術的課題を解決するために本発明は、墓石下部から墓石前面下部に亘って地面よりも下側に納骨室を形成し、前記墓石前面下部の開口部を納骨口とした形式の墓において、納骨口の上面両側に設置された取付部材と、該取付部材に対応して両側に係止孔を設けた納骨口の蓋と、前記蓋の両側の係止孔に係合・離脱可能で、係合時、該蓋を納骨口の上面に保持するために前記取付部材に設けられた係止部材とで構成したことを特徴としている。
【０００５】
上記構成によれば、係止部材と取付部材とによって、普段は蓋を納骨口の上面で閉鎖状態に確実に保持させ、納骨時等には係止部材を蓋の係止孔から離脱させて、蓋を移動させ、納骨口を開放させることができる。
また、本発明の前記取付部材は、前記蓋の両側面に対向する起立面を有し、かつ、前記係止部材は、前記起立面に直交して設けられており、該係止部材の先端が納骨口の蓋の係止孔に上下方向に隙間を以って係合させてあることを特徴としている。
【０００６】
上記構成によれば、蓋の両側方向の移動を取付部材の起立面で阻止させ、蓋の前後方向の移動を係止部材によって阻止させることができるため、蓋の両側を１箇所ずつ係止部材で係止させているだけであるにも拘らず、蓋を納骨口の上面で閉鎖状態に安定して保持させることができる。しかも、蓋の係止孔に係止部材の先端を上下方向に隙間を以って係合させてあるため、蓋の自重は、係止部材に掛からず、納骨口上面周囲等に負担させることができる。これによって、地震発生時においても、蓋と係止部材及び支持部材とは相対的な動きが許容され、損傷を免れることが可能となる。したがって、上記構成によれば、蓋を２点で係止するだけでよいため、蓋の設置構造を簡単化することができるとともに、耐久性を向上させることができる。
【０００７】
また、本発明の前記係止部材は、先端に係止部を有し、基部にねじが刻設されたボルト形状とされ、前記取付部材のねじ孔に螺合固着されていることを特徴としている。
上記構成によれば、係止部材の基部のねじ部を取付部材のねじ孔に対して、螺合固着させてあるため、地震等があっても係止部材が取付部材から脱落することはなく、蓋を閉鎖状態に確実に保持させることができる。そして、納骨時等においては、係止部材のボルト頭部をスパナ等の工具或いはコイン等で回すことによって、先端の係止部を蓋の係止孔から退入させて蓋を納骨口の上面から自由に移動させて納骨口を開放させることができる。納骨後、蓋を閉鎖状態に戻し、係止部材を取付部材にねじ込んで先端の係止部を蓋両側の係止孔に突出係合させて、蓋を納骨口の上面に閉鎖状態で保持させることができる。
【０００８】
また、本発明の前記係止部材のボルト頭部には、取外し防止具が装着されており、この取外し防止具は、前記ボルト頭部を被覆し、内面に環状溝を有するキャップと、該キャップの環状溝と前記ボルト頭部の外周に形成された環状溝とに跨って弾性的に拡縮変形可能に嵌着され、前記キャップを前記ボルト頭部に回転自在に係止する係止リングとを有し、前記キャップの外面には、前記内面の環状溝に達する横穴が複数個形成されていることを特徴としている。
上記構成によれば、普段は、取外し防止具のキャップによって係止部材のボルト頭部を被覆しているので、該係止部材のボルト頭部を回すことができず、また、キャップは、係止リングによって係止部材のボルト頭部に係止保持させているので、簡単に取外すことができない。この場合、キャップを回してみても、単に、空転するだけであって、ボルト頭部を回すことはできない。したがって、普段は、係止部材を取付部材から取外すことができず、蓋は納骨口を閉鎖した状態に確実に保持される。その結果、お骨の盗難を防止することができる。なお、納骨時等には、キャップの外面に設けた複数個の横穴に同時に係合して縮径方向に一斉に動作する専用工具を使用することにより、係止リングを縮径させてキャップの環状溝から外すことによって、キャップを係止部材のボルト頭部から抜き取ることができる。その後、係止部材のボルト頭部をスパナ或いはコイン等で回動させることにより、係止部材の先端の係止部を蓋の係止孔から退入させ、蓋を移動させて納骨口を開口させ、納骨室への納骨を可能とする。納骨後、逆順序で蓋を閉鎖状態に戻し、係止部材を前記と逆方向に回して係止部材の先端の係止部を蓋の両側の係止孔に突出係合させて蓋を納骨口の上面に閉鎖状態で保持し、係止部材のボルト頭部にキャップを被せ、係止リングをキャップの案内面で縮径させつつ環状溝に嵌まり込ませることにより、取外し防止状態に戻すことができる。
【０００９】
また、本発明は、墓石下部から墓石前面下部に亘って地面よりも下側に納骨室を形成し、前記墓石前面下部の開口部を納骨口とした形式の墓において、納骨口の上面両側に設置された第１及び第２の取付部材と、該第１及び第２の取付部材に対応して一側に係止孔を設けた納骨口の蓋と、前記蓋の一側の係止孔に係合・離脱可能で、係合時、該蓋を納骨口の上面に保持するために前記第１の取付部材に設けられた係止部材とで構成し、前記第２の取付部材には、前記蓋の側面に対向する起立面及び蓋の上面を押さえる押え縁を設けたことを特徴としている。
【００１０】
上記構成によれば、係止部材を蓋の片側に設置するだけでよく、係止孔の形成加工及び蓋開閉のための係止部材の着脱手数が半減するとともに、係止部材に取外し防止具を装着することも可能であるから、納骨室のお骨の盗難防止を図ることもできる。
【００１１】
【発明の実施の形態】
以下、本発明の実施の形態を図面に基づいて説明する。
図１は本発明の墓の納骨口蓋の設置構造の実施の一形態を示す全体の概略斜視図である。
図１において、墓１は、芝台石２の上に中台石３、上台石４を介して棹石５を載置して墓石６を構成し、墓石６の下部から墓石６の前面下部に亘って地面よりも下側に納骨室７を形成し、前記墓石６の前面下部の開口部を納骨口７ａとし、この納骨口７ａの上面に蓋８を載置している。この蓋８は、納骨口７ａの上面を閉鎖し得る大きさの板状石材で構成され、拝石を兼用しており、上面に石材製の経机香炉９が載置されている。また、経机香炉９の後面で中台石３の前面の芝台石２上に石材製の水鉢１０と花立１１が載置されている。これらは、水鉢１０を中央にして両側に花立１１を配置している。そして、両側及び後側には、側根石１２が配置され、その上にエグリ側羽目石１３及び後羽目石１４が載置され、前面には石材製の下階段１５と上階段１６に続いて敷石１７が敷設配置されて参道を形成し、両側前面に石材製の大柱１８が立設され、後面には、石材製の塔婆立１９が立設されている。なお、大柱１８上には石材製の灯篭（図示省略）が載置され、また、参道には墓誌石等が配置される場合もある。
【００１２】
前記納骨口７ａの上面両側には、図１及び図２に示すように、取付部材２０が設置され、この取付部材２０に対応して蓋８の両側には係止孔８ａが形成されている。そして、この係止孔８ａに係合・離脱可能で、係合時、蓋８を納骨口７ａの上面に保持するための係止部材２１が取付部材２０に設けられている。
取付部材２０は、図２及び図３に示すように、蓋８の両側面に対向する起立面２０ａと取付面２０ｂを有し、両面は直交しており、全体は略Ｌ型断面形状とされている。
【００１３】
係止部材２１は、図３に示すように、前記起立面２０ａに直交して設けられており、該係止部材２１の先端が納骨口７ａの蓋８の係止孔８ａに上下方向に隙間を以って係合させてある。
取付部材２０は起立面２０ａの中央部に１個のねじ孔２０ｃを横方向に貫通して形成している。
取付部材２０は、真鍮、ブロンズ、ステンレス、チタン合金、繊維強化プラスチック、その他、酸性雨等に対する耐食性、炎天下等での耐候性、耐久性、耐震性、強度等を有する適宜の材料で製作されるものである。
【００１４】
係止部材２１は、図３及び図４に示すように、先端に係止部２１ａを有し、基部にねじ２１ｂが刻設されたボルト形状とされ、前記取付部材２０のねじ孔２０ｃに螺合固着されている。
係止部材２１のボルト頭部２１ｃには、図３に示すように、取外し防止具２２が装着されている。この取外し防止具２２は、図４に示すように、前記ボルト頭部２１ｃを被覆し、内面に環状溝２２ａを有するキャップ２２ｂと、該キャップ２２ｂの環状溝２２ａと前記ボルト頭部２１ｃの外周に形成された環状溝２１ｄとに跨って弾性的に拡縮変形可能に嵌着され、前記キャップ２２ｂを前記ボルト頭部２１ｃに回転自在に係止する係止リング２２ｃとを有している。
【００１５】
上記係止リング２２ｃは、割環状とされており、この係止リング２２ｃによって、普段はキャップ２２ｂをボルト頭部２１ｃに係止させて係止部材２１を被覆状態に保持し、係止部材２１の取外しを防止させている。
前記キャップ２２ｂの外面には、前記内面の環状溝２２ａに達する横穴２２ｄが複数個（例えば、９０°間隔で４個）形成されている。
納骨時、この横穴２２ｄに同時に係合して縮径方向に一斉に動作する専用工具（図示省略）を使用することにより、係止リング２２ｃを縮径させてキャップ２２ｂの環状溝２２ａから外すことによって、キャップ２２ｂを係止部材２１のボルト頭部２１ｃから抜き取ることができるようにしている。
【００１６】
前記ボルト頭部２１ｃは、図４に示すように、大径の円形部２１ｃ１と小径の角形部２１ｃ２とを有し、大径の円形部２１ｃ１にキャップ２２ｂが回転自在に嵌合されている。上記角形部２１ｃ２の頂面には、マイナス溝やプラス溝或いはコイン嵌合溝、又は、角穴等を形成しておいてもよい。
前記キャップ２２ｂの外周面は、円形、角形のいずれでもよいが、内周面は、円形としておくのが好ましく、特に、キャップ２２ｂの開口端側の内周面には、係止リング２２ｃを縮径させるためのテーパー状の案内面を形成しておくのが好ましい。図３及び図４においては、前記ボルト頭部２１ｃの円形部２１ｃ１の外面とキャップ２２ｂの外面とを面一とした場合を例示している。
【００１７】
前記係止部材２１及びキャップ２２ｂ並びに係止リング２２ｃは、前記取付部材２０と同一材料で構成してもよく、別材料で構成してもよい。しかし、酸性雨等に対する耐食性、炎天下等での耐候性、耐久性、耐震性、強度等を有する適宜の材料で製作されるのが好ましい。
本発明に係る墓の納骨口蓋の設置構造の実施形態は以上の構成からなり、次にその施工例並びに使用例を説明する。
先ず、既存の墓１に適用する場合は、現場で蓋８の両側面への係止孔８ａの穴あけ加工をするか、工場等の作業場所に持ち帰って同様な加工を施す。墓１を新規に製作設置する場合には、上記加工を工場等の作業場所で行う。この場合、取付部材２０のねじ孔２０ｃの形成位置と、蓋８の係止孔８ａの形成位置とを整合させて行う。ここまでの加工は、工場等の作業場所で行って、後は現場で行うのが望ましいが、現場で実施してもよい。このようにして、蓋８に係止孔８ａを形成すると、現場で納骨口７ａの上面両側に取付部材２０を取付面２０ｂの上面を地面と面一にして設置する。この設置に当たっては、予め、コンクリート工事によって設置段部を形成しておき、その段部に、接着剤で強固に接着固定するのが盗難防止のために望ましい。納骨口７ａの上面両側への取付部材２０の取り付けが終了すると、蓋８を納骨口７ａの上面に載置し、係止部材２１を取付部材２０のねじ孔２０ｃにねじ込んで先端の係止部２１ａを蓋８の係止孔８ａに係合させ、取外し防止具２２を装着する。これで蓋８の設置作業は終了する。
【００１８】
普段はこの状態に保持される。この状態においては、係止部材２１は、キャップ２２ｂで被覆されており、キャップ２２ｂは、係止リング２２ｃによって係止部材２１のボルト頭部２１ｃに係止されているので、係止部材２１を回すことは困難である。なお、キャップ２２ｂを回すことはできるが、この回転方向には、キャップ２２ｂと係止部材２１とは係止されておらず、キャップ２２ｂだけが空転するだけとなるので、係止部材２１を取付部材２０から取外すことはできない。そのため、蓋８を移動させることはできず、納骨室７内のお骨が盗まれるようなことはない。
【００１９】
納骨時、専用工具を持参して、キャップ２２ｂの周囲の横穴２２ｄに同時にピンを係合させて係止リング２２ｃを縮径させてキャップ２２ｂを外す。そして、係止部材２１を回動させて取付部材２０のねじ孔２０ｃから外せば、蓋８を動かすことができ、納骨口７ａを開放させて納骨することができる。納骨後は、逆の手順で蓋８を閉鎖状態に戻せばよい。
次に、本発明に係る別の実施形態を図５及び図６によって説明する。
この実施形態では、前記実施形態と同様な構成とした第１の取付部材２０に係止部材２１を螺合して取り付けたものを蓋８の片側にだけ使用し、他側は、前記実施形態とは異なる第２の取付部材２０’のみを使用し、係止部材２１を省略するようにしたものである。そのために、第２の取付部材２０’には、蓋８の側面に対向する起立面２０ａ’と、取付面２０ｂ’と、蓋８の上面を押さえるための押え縁２０ｄ’を設けたものである。この場合、係止部材２１に対応する係止孔８ａは蓋８の一側に形成するだけでよい。この実施形態では、納骨口７ａを開閉する際には、蓋８を水平にスライドさせて行えばよく、それ以外は前記実施形態と同様である。この実施形態によれば、係止部材２１を蓋８の片側に設置するだけでよく、係止孔８ａの形成加工及び蓋８の開閉のための係止部材２１の着脱手数が半減するとともに、係止部材２１に取外し防止具２２を装着することも可能であるから、納骨室７のお骨の盗難防止を図ることもできる。
【００２０】
以上説明したように、本発明の実施形態によれば、普段は蓋の閉鎖状態を確実に保持させ、納骨時等には蓋の開放を可能にして、お骨の盗難も簡易に防止できる墓の納骨口蓋の設置構造を提供することができる。
なお、本発明は、上記実施の形態に限定されるものではない。例えば、取付部材２０を納骨口７ａの上面両側にボルト付けしてもよいが、その場合には、このボルトにも取外し防止具２２を装着するのが望ましい。また、係止部材２１は、取付部材２０に螺合固着させているが、シリンダー錠構造としてキーにより施錠・開錠して着脱可能としてもよい。その場合には、取外し防止具２２は、省略してもよく、併用してもよい。さらに、取付部材２０の取付面２０ｂは、図６のように外向きに形成してもよい。また、図５及び図６の実施形態においては、第１の取付部材２０にも押え縁を設けて第２の取付部材２０’と同一形状としてもよい。
【００２１】
【発明の効果】
本発明によれば、普段は蓋の閉鎖状態を確実に保持させ、納骨時等には蓋の開放を可能にして、お骨の盗難も簡易に防止できる墓の納骨口蓋の設置構造を提供することができる。
【図面の簡単な説明】
【図１】本発明に係る墓の納骨口蓋の設置構造の実施形態を示す概略斜視図である。
【図２】図１における納骨口蓋の設置部の概略斜視図である。
【図３】本発明の設置構造の実施形態の要部拡大縦断側面図である。
【図４】本発明に係る係止部材と取外し防止具との関係を示す分解図である。
【図５】本発明に係る納骨口蓋の設置構造の別の実施形態を示す概略斜視図である。
【図６】本発明に係る納骨口蓋の設置構造のさらに別の実施形態を示す概略斜視図である。
【符号の説明】
１    墓
６    墓石
７    納骨室
７ａ  納骨口係止孔
８    蓋
８ａ  係止孔
２０  取付部材
２１  係止部材
２２  取外し防止具
【図１】
2004360394.tif 000003
【図２】
2004360394.tif 000004
【図３】
2004360394.tif 000005
【図４】
2004360394.tif 000006
【図５】
2004360394.tif 000007
【図６】
2004360394.tif 000008